(57)【要約】【課題】ダイヤモンドのテ−ブル面に特殊な加工を施して装身具として変化を持たせたダイヤモンド装身具を提供するもので、テ−ブル面に形成した溝群内に充填された蛍光顔料（又は蓄光顔料）にブラックライト等の紫外線を当てることによりこれが反応し、テ−ブル面より浮き上がって発光する。【解決手段】ダイヤモンドのテ−ブル面にレ−ザ−光線によって所望の溝群を形成し、紫外線、熱、光等の照射によって硬化する樹脂に蛍光顔料又は蓄光顔料を混合し、当該混合物を前記溝群内に充填し、次いで、紫外線、熱、光等の照射によって樹脂を硬化させたことを特徴とする、紫外線照射等によって溝群内の蛍光顔料又は発光顔料が発光することを特徴とするダイヤモンド装身具。１‥ダイヤモンド、２‥ダイヤモンドのテ−ブル、５‥蛍光顔料入り硬化樹脂。【選択図】図１
0003123695.tif 000002
【実用新案登録請求の範囲】
【請求項１】
ダイヤモンドのテ−ブル面にレ−ザ−光線によって所望の溝群を形成し、紫外線、熱、光等の照射によって硬化する樹脂に蛍光顔料又は蓄光顔料を混合し、当該混合物を前記溝群内に充填し、次いで、紫外線、熱、光等の照射によって樹脂を硬化させたことを特徴とする、紫外線照射等によって溝群内の蛍光顔料又は発光顔料が発光することを特徴とするダイヤモンド装身具。
【請求項２】
硬化樹脂が透明なエポキシ樹脂である請求項１記載のダイヤモンド装身具。
【請求項３】
樹脂中に金箔を混合した請求項１又は２記載のダイヤモンド装身具。
【請求項４】
蛍光顔料がアクリル系蛍光顔料である請求項１乃至３いずれか１記載のダイヤモンド装身具。
【考案の詳細な説明】
【技術分野】
【０００１】
本考案は、ダイヤモンド装身具に関するものである。
【背景技術】
【０００２】
ダイヤモンドは、その光学的特性と研削乃至研摩され超仕上げ研摩によって研摩された表面が、他の物品との摩擦接触にも拘らず材料のもつ硬さによってその光沢と反射性とが損なわれずに保持されるものであり、経時的に角が取れたり、傷が付いたり、外観が損なわれたりする現象がないという装身具として優れた特性を持っている。
【０００３】
そして、装身用のダイヤモンドは、通常は研削・研摩されて装飾用台に嵌め込まれて使用されるが、特に装身具にあっては流行性のものであるため、ダイヤモンドを固定する装飾用台は、例えば地金として所望の形状に鋳直すことが可能であるが、装身具の主要部分となるダイヤモンドは、所望のように形状、外観を変更できない。
【０００４】
かかる装身具としてのダイヤモンドの改良技術として、研磨したダイヤモンドにレ−ザ−光線を照射し、複数の凹みを形成した後、析着によって被覆を形成し、この被覆を再研磨によって除去するが、凹み中にこれを残留するようにしたダイヤモンド装身具がある（特許文献１）。
【０００５】
【特許文献１】特開平６−６２９１４号公報
【０００６】
析着としては、別の色合いや明度の異った材料の層が析着され、具体的には、中間層としてのクロム−ニッケル層を析着し、その後に、金、白金又はパラジウム等の貴金属の層を、要すればこれに保護層を夫々析着して複合層とすることが提案されている。そして、析着としては、主として気相析着法（蒸着、ＣＶＤ、ＰＶＤ、プラズマＣＶＤ等）が用いられることから、その処理機構は比較的大型でコストも高いものとなっていた。
【考案の開示】
【考案が解決しようとする課題】
【０００７】
本考案は、新規なダイヤモンド装身具を提供することを目的とするものであり、特に、ダイヤモンドの長時間に亘って損なわれない硬い表面という有利な特性を利用して、ダイヤモンド自体の輝きと共に、これに更にダイヤモンドのテ−ブル面に特殊な加工を施して装身具として変化を持たせたダイヤモンド装身具を提供するものである。
【課題を解決するための手段】
【０００８】
本考案の装身具は、ダイヤモンドのテ−ブル面にレ−ザ−光線によって所望の溝群を形成し、紫外線、熱、光等の照射によって硬化する樹脂（好ましくは透明なエポキシ樹脂）、蛍光顔料（好ましくはアクリル系蛍光顔料）又は蓄光顔料、要すればこれに金箔、を混合し、当該混合物を前記溝群内に充填し、次いで、紫外線、熱、光等の照射によってかかる樹脂を硬化させたことを特徴とするダイヤモンド装身具であり、紫外線等の照射によって溝群内の蛍光顔料又は蓄光顔料が発光してなるダイヤモンド装身具である。
【考案の効果】
【０００９】
本考案は以上の通りであり、所望の溝群内に充填された蛍光顔料（又は蓄光顔料）にブラックライト等の紫外線を当てることによりこれが反応し、所望の溝形状の発光がダイヤモンドのテ−ブル面より浮き上がって見られることとなったものである。
【考案を実施するための最良の形態】
【００１０】
従前からの装身具ダイヤモンドは、研摩面の角度及び大きさを変えることによって、外形のみについて変更できたのに対し、前記したレ−ザ−照射による装身具が提供されたものではあるが、本発明はこれらと異なり、全く新しい形態の装身具が提供できることとなったものである。
【００１１】
しかも、比較的低コストにて処理可能となったものであり、かつ、その溝群によって発現される装飾はダイヤモンドのテ−ブル面より浮き上がって見えるという特徴があり、前記特許文献１に見られるような単に溝群内に貴金属の色合いをもった部材を析着させた技術には見られない優れた装飾的な効果がもたらされたものである。
【００１２】
このため、本考案にあっては、ダイヤモンドのテ−ブル面に所望する溝群、例えば、アルファベッドの『Ｋ』なる溝群をレ−ザ−光線を照射することによって刻設する第１段階と、蛍光顔料又は蓄光顔料を混合した硬化性樹脂材料を前記の溝群内に充填する第２段階と、前記硬化性樹脂を硬化させてなる第３段階とからなるものである。
【００１３】
ダイヤモンドのテ−ブル状の溝群はレーザーによる照射によって形成される。例えば、公知の文字刻印用レーザー装置を使用でき、溝群の幅はレーザー光線の直径に従って例えば約３０〜５０μｍ程度まで細線を形成できる。レーザー光線を用いると、基本的に任意の幅の溝幅及び溝深さを形成することが可能である。
【００１４】
使用される蛍光顔料又は蓄光顔料は従来より公知のものが用いられるが、例えば、蛍光顔料としては、蛍光波長が可視部にあって水その他の溶媒に不溶性又は難溶性の物質があり、例えば、Ｃａ、Ｂａ、Ｍｇ、Ｚｎ、Ｃｄ等の酸化物、硫化物、珪酸塩、りん酸塩等を主成分とする無機蛍光材料や有機蛍光材料（顔料）がある。又、蓄光顔料は、可視光線、紫外線以下の短波長の輻射線やアルファ線等の放射線の刺激を受け、そのエネルギ−を可視光線に変化させる性質を持つ材料がある。
【００１５】
紫外線、熱、光等の照射によって硬化する樹脂の例としては、これ又特に限定されるものではないが、例えば、エポキシ樹脂（ＥＰ）、ポリウレタン樹脂（ＰＵ）、シリコ−ン樹脂（ＳＩ）、アクリル樹脂等が挙げられ、いずれも透明で硬質の材料が良い。勿論、摩擦等によって剥離したり、亀裂が入るような樹脂は好ましくなく、中でも透明なエポキシ樹脂が好適である。
【００１６】
本発明において用いられ得る透明エポキシ樹脂の具体例としては、ビスフェノール型（Ａ型及びＦ型エポキシ樹脂、脂環式エポキシ樹脂等が挙げられる。常温で液状で、紫外線、光等にて硬化し、硬化後の硬度が高く、透明で耐摩耗性に富む樹脂が好ましい。尚、エポキシ樹脂に対しては、適当な硬化剤や硬化促進剤が用いられる。
【００１７】
本考案で採用される溝内に充填される材料としては、硬化性樹脂１００重量％に対し、蛍光顔料（或いは蓄光顔料）０．５〜１５重量％、好ましくは３〜１０重量％であるが、これに前記金箔を充填するのが好ましい。金箔を充填する際の配合組成は任意であるが、例えば３０〜１５０重量％である。
【００１８】
本発明で用いられる蛍光顔料はブラックライトを照射すると発光する化学合成物で有機系のものと無機系のものがあり、有機系のものはパラアミノ安息香酸、パラメチル安息香酸、ローダミンＢ、ローダミン６ＧＣＰ、ローダミンＦ３Ｂ、アゾソールブリリアントイエロー６ＧＦ、マキシロンブリリアントイエロー１０ＧＦＦ、ルモゲンＬイエロー、ミケホワーＢＸ、ホワイテックスＳＬＡ等が挙げられる。無機系のものはＹ２Ｏ３：Ｅｕ、０．５ＭｇＦｅＧｅＯ２：Ｍｎ、ＺｕＳ：Ｃｕ、Ｚｎ２ＳｉＯ４：Ｍｎ、Ｌａ２Ｏ２Ｓ：Ｔｂ、Ｙ２ＳｉＯ５：Ｃｅ、Ｃａ２Ｂ５Ｏ９Ｃｌ：Ｅｕ２等が挙げられる。
【００１９】
蓄光顔料は、ブラックライト或いは白色光源の照射による刺激後も発光がかなり続くものでいわゆる燐光と称するものであり、例えば硫化亜鉛系、硫化亜鉛／銅系等が挙げられる。
【実施例】
【００２０】
以下、実施例をもって更に詳細に説明する。図１は本考案のダイヤモンド装身具のダオヤモンドのみを取り出した正面図であり、図２に示すようにダイヤモンド１のテ−ブル２面にレ−ザ−光線３によって所望の溝群４を形成する。図３に示すように『Ｋ』を示す溝群４を刻設したものである。次いで、図４に示すように、硬化性樹脂混合物５をこの溝群４内に充填した。かかる硬化性樹脂混合物５は、硬化性樹脂（透明性エポキシ樹脂：ブレニ−技研（ＧＭ９００２）））４０重量％、アクリル系蛍光顔料５重量％を混合し、この際に金箔５５重量％を混合して粉状体混合物としたものである。
【００２１】
そして、かかる粉状体５を溝群４内に充填した後、これを紫外線を照射して硬化性樹脂を硬化し、『Ｋ』なる文字をテ−ブル２面に形成し、図１に示す本考案のダイヤモンド（装身具）を得た。
【００２２】
一方、アクリル系蛍光材料を加えない樹脂をもって溝群４内にこれを充填し、これを硬化してダイヤモンド装身具（比較例）を得た。
【００２３】
比較例におけるダイヤモンド装身具は金箔によってダイヤモンドのテ−ブル面に金箔によって『Ｋ』なる文字が現れるが、ブラックライトを当ててもそれ以上の大きな効果は現れなかった。一方、本考案のダイヤモンド装身具にあっては、上記の比較例の場合と同じように金箔によって『Ｋ』なる文字が現れ、しかもブラックライトを当てることによって『Ｋ』なる文字がダイヤモンドのテ−ブル面上に浮かび上がって見えるようになった。
【産業上の利用可能性】
【００２４】
本考案はダイヤモンドのテ−ブル上に任意の装飾が得られるようになったものであり、しかもこれが浮き上がって見えるようになったものである。従って、本考案はダイヤモンドを用いた全ての装身具に適用可能であり、その利用価値は大きい。
【図面の簡単な説明】
【００２５】
【図１】図１は本考案の装身具の基体をなすダイヤモンドを示す図である。
【図２】図２はダイヤモンドにレ−ザ−光線を当てて溝を形成する図である。
【図３】図３は『Ｋ』を示す溝群を刻設した図である。
【図４】図４は溝群内に硬化性樹脂混合物を充填した図である。
【符号の説明】
【００２６】
１‥ダイヤモンド、
２‥ダイヤモンドのテ−ブル、
３‥レ−ザ−光線、
４‥溝群、
５‥粉状体（硬化性樹脂混合物）。
【図１】
0003123695.tif 000003
【図２】
0003123695.tif 000004
【図３】
0003123695.tif 000005
【図４】
0003123695.tif 000006